(57)【要約】【課題】今後、追加される賭式に対応してオッズ情報を提供できるようにする。【解決手段】このオッズ表示システムのコンピュータ４は、競技場において開催されるレースの配当率を表すオッズ情報をモニターへ出力するものであり、レースの情報を受信するオッズ受信処理部４１と、受信されたレースの情報から抽出したレースの配当率を表すオッズ情報をバッファリングして大画面モニター５の画面に出力する複数のオッズ保存バッファ４２ａ，４２ｂと、これらオッズ保存バッファ４２ａ，４２ｂのオッズ情報のバッファリング状態を監視し、オッズ情報を大画面モニター５へ出力していないオッズ保存バッファ４２ｂに対して、最新のオッズ情報をバッファリングさせるオッズ蓄積制御部４３と、オッズ保存バッファ４２ａから出力されるオッズ情報を大画面モニター５の画面にスクロール表示させる画面表示処理部４５とを具備する。【選択図】      図１
2005010999.tif 000002
【特許請求の範囲】
【請求項１】
競技場において開催されるレースの配当率を表すオッズ情報をモニターへ出力するオッズ情報出力装置において、
前記レースの情報を受信する受信手段と、
前記受信手段により受信された前記レースの情報からレースの配当率を表すオッズ情報を抽出する抽出手段と、
前記抽出手段により抽出されたオッズ情報をバッファリングする第１および第２のバッファ手段と、
前記第１および第２のバッファ手段のバッファ状況を監視し、オッズ情報が読み出されていないバッファ手段に対して、前記受信手段により受信されて前記抽出手段により抽出された最新のオッズ情報をバッファリングさせる制御手段と、
一方のバッファ手段から読み出したオッズ情報を前記モニターの画面にスクロール表示させる一方、他方のバッファ手段に最新のオッズ情報がバッファリングされた時点でオッズ情報の連続性を保持するように他方のバッファ手段から最新のオッズ情報を出力させる画面表示処理手段と
を具備したことを特徴とするオッズ情報出力装置。
【請求項２】
競技場において開催されるレースの配当率を表すオッズ情報をモニターへ出力するオッズ情報出力装置に処理を実行させるオッズ情報出力プログラムにおいて、
前記オッズ情報出力装置を、
前記レースの情報を受信する受信手段と、
前記受信手段により受信された前記レースの情報からレースの配当率を表すオッズ情報を抽出する抽出手段と、
前記抽出手段により抽出されたオッズ情報をバッファリングする第１および第２のバッファ手段と、
前記第１および第２のバッファ手段のバッファ状況を監視し、オッズ情報が読み出されていないバッファ手段に対して、前記受信手段により受信されて前記抽出手段により抽出された最新のオッズ情報をバッファリングさせる制御手段と、
一方のバッファ手段から読み出したオッズ情報を前記モニターの画面にスクロール表示させる一方、他方のバッファ手段に最新のオッズ情報がバッファリングされた時点でオッズ情報の連続性を保持するように他方のバッファ手段から最新のオッズ情報を出力させる画面表示処理手段
として機能させることを特徴とするオッズ情報出力プログラム。
【請求項３】
競技場において開催されるレースの配当率を表すオッズ情報をモニターへ出力するオッズ情報出力装置におけるオッズ情報出力方法において、
前記レースの情報を前記オッズ情報出力装置が受信して前記レースの情報からレースの配当率を表すオッズ情報を抽出するステップと、
前記オッズ情報出力装置に設けられている第１および第２のバッファ手段のうち、オッズ情報が読み出されていないバッファ手段に対して、抽出した最新のオッズ情報をバッファリングするステップと、
前記第１および第２のバッファ手段のうち、一方のバッファ手段から読み出したオッズ情報を前記モニターの画面にスクロール表示させる一方、他方のバッファ手段に最新のオッズ情報がバッファリングされた時点でオッズ情報の連続性を保持するように他方のバッファ手段から最新のオッズ情報を出力するステップとを有することを特徴とするオッズ情報出力方法。
【発明の詳細な説明】
【０００１】
【発明の属する技術分野】
本発明は、例えば競馬、競輪、競艇等の競技場に導入されるオッズ情報出力装置、オッズ情報出力プログラム、オッズ情報出力方法に関する。
【０００２】
【従来の技術】
競馬、競輪、競艇等の競技場、勝馬投票券販売所（場外馬券売場）には、開催レースの情報（賭式毎のオッズ等）を観客、馬券購入者等に提供する場内テレビシステムが導入されている。
賭式としては、例えば競馬の場合、単勝式、複勝式、馬番号連勝複式（馬連、ワイド、三連複）、馬番号連勝単式（馬単）、枠番号連勝複式（枠連）等があり、これら個々の賭式のオッズを場内テレビシステムが表示することで、利用者は好みの情報を得ることができる。
【０００３】
この種の場内テレビシステムのオッズ表示方式として、従来は、３０秒毎に静止画を切り替えて表示する画面切替え方式が採用されていたが、出走数と賭式によってはその組合せが膨大な数にのぼる。
例えば１８頭ての競馬で三連複の場合、８１６通りのオッズを表示しなければならず、画面の切り替えでは短いレースの合間に全てのオッズを表示しきれないという問題が生じている。
このため、オッズ数の多い賭式については、上位と下位のオッズのみを表示したり、オッズボックス（商標）等と呼ばれるオッズを印刷するシステムで利用者に所望のオッズ情報を有料で提供することが行われている。
【０００４】
しかしながら、これは、あくまでもシステム的な制限のためであり、本来は、レースの前に全ての賭式のオッズ情報を提供することが望ましい。
そこで、最近では、ワイドプラズマディスプレイと高精細文字との組合せにより、１画面のデータ表示能力を高めて多くのオッズ情報を表示させることで、静止画の切替え回数を削減する技術が提案されている（例えば特許文献１参照）。
【０００５】
【特許文献１】
特開平１１−１７７９４１号公報（段落番号［０００６］−［００１０］）
【０００６】
【発明が解決しようとする課題】
しかしながら、今後、さらなる賭式の増加が検討されており、上記技術によりディスプレイを大画面化および文字の高精細化を行ったところでこれ以上のオッズの表示には限界があるという問題があった。
【０００７】
本発明はこのような課題を解決するためになされたもので、今後、追加されるさまざまな賭式に対応してオッズ情報を提供できるオッズ情報出力装置、オッズ情報出力プログラム、オッズ情報出力方法を提供することを目的としている。
【０００８】
【課題を解決するための手段】
上記した目的を達成するために、請求項１記載の発明のオッズ情報出力装置は、競技場において開催されるレースの配当率を表すオッズ情報をモニターへ出力するオッズ情報出力装置において、前記レースの情報を受信する受信手段と、前記受信手段により受信された前記レースの情報からレースの配当率を表すオッズ情報を抽出する抽出手段と、前記抽出手段により抽出されたオッズ情報をバッファリングする第１および第２のバッファ手段と、前記第１および第２のバッファ手段のバッファ状況を監視し、オッズ情報が読み出されていないバッファ手段に対して、前記受信手段により受信されて前記抽出手段により抽出された最新のオッズ情報をバッファリングさせる制御手段と、一方のバッファ手段から読み出したオッズ情報を前記モニターの画面にスクロール表示させる一方、他方のバッファ手段に最新のオッズ情報がバッファリングされた時点でオッズ情報の連続性を保持するように他方のバッファ手段から最新のオッズ情報を出力させる画面表示処理手段とを具備したことを特徴としている。
【０００９】
請求項２記載の発明のオッズ情報出力プログラムは、競技場において開催されるレースの配当率を表すオッズ情報をモニターへ出力するオッズ情報出力装置に処理を実行させるオッズ情報出力プログラムにおいて、前記オッズ情報出力装置を、前記レースの情報を受信する受信手段と、前記受信手段により受信された前記レースの情報からレースの配当率を表すオッズ情報を抽出する抽出手段と、前記抽出手段により抽出されたオッズ情報をバッファリングする第１および第２のバッファ手段と、前記第１および第２のバッファ手段のバッファ状況を監視し、オッズ情報が読み出されていないバッファ手段に対して、前記受信手段により受信された最新のオッズ情報をバッファリングさせる制御手段と、一方のバッファ手段から読み出したオッズ情報を前記モニターの画面にスクロール表示させる一方、他方のバッファ手段に最新のオッズ情報がバッファリングされた時点でオッズ情報の連続性を保持するように他方のバッファ手段から最新のオッズ情報を出力させる画面表示処理手段として機能させることを特徴としている。
【００１０】
請求項３記載の発明のオッズ情報出力方法は、競技場において開催されるレースの配当率を表すオッズ情報をモニターへ出力するオッズ情報出力装置におけるオッズ情報出力方法において、前記レースの情報を前記オッズ情報出力装置が受信して前記レースの情報からレースの配当率を表すオッズ情報を抽出するステップと、前記オッズ情報出力装置に設けられている第１および第２のバッファ手段のうち、オッズ情報が読み出されていないバッファ手段に対して、抽出した最新のオッズ情報をバッファリングするステップと、第１および第２のバッファ手段のうち、一方のバッファ手段から読み出したオッズ情報を前記モニターの画面にスクロール表示させる一方、他方のバッファ手段に最新のオッズ情報がバッファリングされた時点でオッズ情報の連続性を保持するように他方のバッファ手段から最新のオッズ情報を出力するステップとを有することを特徴としている。
【００１１】
本発明では、レースの情報をオッズ情報出力装置が受信してレースの情報からレースの配当率を表すオッズ情報を抽出すると、オッズ情報出力装置に設けられている第１および第２のバッファ手段のうち、オッズ情報が読み出されていないバッファ手段に対して、抽出した最新のオッズ情報をバッファリングする。そして、一方のバッファ手段から読み出したオッズ情報をモニターの画面にスクロール表示させる一方、他方のバッファ手段に最新のオッズ情報がバッファリングされた時点でオッズ情報の連続性を保持するように他方のバッファ手段から最新のオッズ情報を出力するので、今後、追加されるさまざまな賭式に対応してオッズを表示することで、利用者にオッズ情報をタイムリーに提供できるようになる。
【００１２】
【発明の実施の形態】
以下、本発明の実施の形態を図面を参照して詳細に説明する。
図１は本発明に係る一つの実施形態のオッズ表示システムの構成を示す図である。
同図に示すように、このオッズ表示システムは、上位の配信システム（以下上位システム１と称す）より文字放送を受信する文字放送システム２と、この文字放送システム２とＬＡＮ３を介して接続されたオッズ情報出力装置としてのコンピュータ４と、このコンピュータ４からＲＧＢ信号の形式で出力される映像を表示する大型モニター５とから構成されている。
【００１３】
文字放送システム２は、オッズ情報受信処理部２１を備えている。オッズ情報受信処理部２１は、上位システム１から配信されてきた、例えば競馬、競輪、競艇等の競技場において開催されるレースの情報（図２参照）を受信してＬＡＮ３を通じてコンピュータ４へ送信する。
コンピュータ４は、ＣＰＵ、メモリ、ハードディスク装置、キーボード等を備えたものであり、ハードディスク装置には、オペレーティングシステム（以下ＯＳと称す）を含むアプリケーションプログラムが記憶されている。アプリケーションプログラムの一つに、制御プログラムがある。制御プログラムは、文字放送システム２よりレースの情報を受信し、受信したレースの情報から抽出されたレースの配当率を表すオッズ情報をＲＧＢ形式で大型モニター５へ出力するための制御を行う。
コンピュータ４は、受信手段としてのオッズ受信処理部４１と、第１のバッファ手段としてのオッズ保存バッファ４２ａと、第２のバッファ手段としてのオッズ保存バッファ４２ｂと、抽出手段および制御手段としてのオッズ蓄積制御部４３と、バッファ管理テーブル４４と、画面表示処理手段として画面表示処理部４６とを有している。オッズ保存バッファ４２ａ，４２ｂは、メモリあるいはハードディスク装置の記憶領域に作成される。
【００１４】
オッズ受信処理部４１は、文字放送システム２よりＬＡＮ３を通じてレース情報を受信し、受信したレース情報からレースの配当率を表すオッズ情報を抽出する。オッズ保存バッファ４２ａ、４２ｂは、それぞれオッズ受信処理部４１により抽出されたオッズ情報をバッファリングして大画面モニター５へ出力する。
バッファ管理テーブル４４には、それぞれのオッズ保存バッファ４２ａ、４２ｂのバッファ状況（蓄積状況フラグと出力状況フラグ）がセットされている。蓄積状況フラグは「蓄積済み」、「空」等にセットされる。出力状況フラグは「オッズ出力」、「出力停止」等にセットされる。
【００１５】
オッズ蓄積制御部４３は、バッファ管理テーブル４４の出力状況フラグを監視することで、オッズ保存バッファ４２ａ、４２ｂのうち、蓄積したオッズ情報を表示用として出力していないバッファに対して、オッズ受信処理部４１により受信および抽出された最新のオッズ情報をバッファリングさせる。
また、オッズ蓄積制御部４３は、最新のオッズ情報が該当バッファにバッファリングされた時点でバッファ管理テーブル４４の蓄積状況フラグの状態を「空」から「蓄積済み」に変更する。
画面表示処理部４６は、オッズ出力中の一方のバッファ（オッズ保存バッファ４２ａあるいはオッズ保存バッファ４２ｂ）から出力されるオッズ情報を大画面モニター５の画面に上下方向あるいは左右方向にオッズを流すようにスクロール表示させる。
画面表示処理部４６は、バッファ管理テーブル４４の蓄積状況フラグの状態を監視し、蓄積状況フラグが「空」から「蓄積済み」に変更されたタイミング、つまり他方のバッファ（オッズ保存バッファ４２ｂあるいはオッズ保存バッファ４２ａ）に最新のオッズ情報がバッファリングされた時点で、スクロール中のオッズ情報の連続性を保持するようにそのバッファに蓄積された最新のオッズ情報を出力させる。これと同時に画面表示処理部４６は、バッファ管理テーブル４４の出力状況フラグを「出力停止」から「オッズ出力」に変更する。
画面表示処理部４には、キーボート等からの入力によりスクロール値、時間値等のパラメータが設定される。画面表示処理部４は、これらパラメータの設定値に応じてスクロール速度を計算し、その速度でオッズのスクロール表示を行う。
【００１６】
個々の競技場において開催されるレースの情報は、図２に示すように、場コード、年、回、日、レース番号等の番組情報と、オッズ識別情報、登録頭数、出走頭数、単勝、複勝、枠連、馬連、ワイド、馬単、三連複、三連単等の賭式情報と、それぞれの賭式におけるオッズ情報とから構成されている。
オッズ情報は、例えば１８頭の馬が出走するレースの場合、１８通りの単勝オッズ、１８通りの複勝オッズ、３６通りの枠連オッズ、１５３通りの馬連オッズ、１５３通りのワイドオッズ、３０６通りの馬単オッズ、８１６通りの三連複オッズ、今後、追加される賭式の一つとしての４８９６通りの三連単オッズ等を有している。これらのデータは、シリアルなデータとして伝送および受信される。
【００１７】
以下、このオッズ表示システムの動作を説明する。
この実施形態のオッズ表示システムの場合、上位システム１より文字放送システム２へ配信された文字放送をオッズ情報受信処理部２１が受信すると、オッズ情報受信処理部２１は、文字放送の中のレース情報（図２参照）をＬＡＮ３を通じてコンピュータ４のオッズ受信処理部４１に送信する。
コンピュータ４では、ＬＡＮ３を通じてレース情報がオッズ受信処理部４１に受信されると、オッズ受信処理部４１は、受信したレース情報からレースの配当率を表すオッズ情報を抽出しオッズ蓄積制御部４３に送る。
オッズ蓄積制御部４３は、バッファ管理テーブル４４でオッズ保存バッファ４２ａ，４２ｂのバッファ状況（蓄積状況フラグと出力状況フラグ）を監視しており、オッズ情報がオッズ受信処理部４１より送られてくると、そのオッズ情報を、画面表示処理部４５へ出力してしない側のオッズ保存バッファ、例えばオッズ保存バッファ４２ａ等に蓄積させる（書き込む）。なお、オッズ保存バッファ４２ａ，４２ｂが共に「空」の場合、オッズ保存バッファ４２ａは、デフォルトで設定されているオッズ保存バッファ（オッズ保存バッファ４２ａ等）を選定しオッズ情報の書き込みを開始する。
【００１８】
そして、今回送られてきた分のオッズ情報がオッズ保存バッファ４２ａに蓄積されると、つまりオッズ情報の書き込みが終了すると、オッズ蓄積制御部４３は、バッファ管理テーブル４４のオッズ保存バッファ４２ａの蓄積状況フラグを「空」から「蓄積済み」に変更する。
画面表示処理部４６もバッファ管理テーブル４４でオッズ保存バッファ４２ａ，４２ｂのバッファ状況（蓄積状況フラグと出力状況フラグ）を監視しており、蓄積状況フラグが「蓄積済み」となったオッズ保存バッファ４２ａからオッズ情報の読み出しを開始する。これと同時に画面表示処理部４６は、バッファ管理テーブル４４のオッズ保存バッファ４２ａの出力状況フラグを「出力停止」から「オッズ出力」に変更する。
そして、画面表示処理部４６は、オッズ保存バッファ４２ａから順に読み出しているオッズ情報を、例えば三連単オッズの場合、図４に示すように、「１−２−３」から「１４−３−１」までの１６２通り分のオッズを１画面に一度に表示した後、次の行以降を画面下から上の方向にオッズを流すように大画面モニター５の画面にスクロール表示させる。なお、初めの１画面分のオッズについては、従来通り３０秒ほど静止画として表示し、それからスクロールを始める。
【００１９】
画面表示処理部４６は、賭式に応じてスクロール速度を変える。
例えば三連複オッズの場合、表示するオッズは８１６通りあるため、１行に６つのオッズを表示して２７行を表示できる画面であれば、従来の画面切替え方式の場合、１画面に１６２通りを表示し、３０秒おきに６回、画面を切り替えることになる。なお、最後の６回目の画面には６通り（１行）しか表示されない。
つまり、ある時刻に受信した三連複オッズを１通り観客に見せるためには、
３０×６＝１８０秒＝３分が必要になる。
【００２０】
一方、この実施形態の場合、画面をスクロールさせるので、初めの１画面については従来どおり一度に１６２通りを表示させた後、残りの６５４通りを１行に６通り表示させると、１０９行を順に上にずらせば済む。
このため、画面表示処理部４６に予め１．５秒おきに行をずらすようにスクロール値を設定しておくことで、画面表示処理部４６は、三連複オッズについて、１．５秒おきに行をずらすようにスクロールさせるので、１７０秒以下で全てのオッズを表示させることができる。なお、スクロール値を０．５秒と設定した場合、１分以下で全てのオッズを表示させることができる。０．５秒おきに行をずらしたとしても、一番下のオッズが２７行ずれる間、つまり約１３秒間は、そのオッズは画面に存在するため見落とすことがない。また、初めの１画面から画面下から上へオッズを単純にスクロール表示する場合も、８１６通り分の行（１３６行）を０．５秒おきにずらすので、約７０秒で表示を完了できる。
三連複オッズについて、画面表示処理部４６に、予め０．５秒のスクロール値を設定することで、画面表示処理部４６は、０．５秒おきにオッズの行をスクロールさせるので、約７０秒で三連複オッズの表示を完了できる。
【００２１】
一方、三連単オッズの場合、オッズ数は４８９６通りあり、図３に示すように、１行６オッズ、２７行表示の画面では、４８９６通り分の行（８１６行）を０．５秒おきにずらすと、４０８秒（６分４８秒）で表示が終わる計算になる。
したがって、三連単オッズについては、画面表示処理部４６に、予め０．５秒のスクロール値を設定することで、画面表示処理部４６は、０．５秒おきにオッズをスクロールさせるので、６分４８秒（約７分）で全ての組合せの三連単オッズの表示を完了できる。
この賭式について、従来の画面切替え方式（静止画面を３０秒おきに切り替えて表示する方式）で表示を行う場合、全てのオッズを表示するためには３０枚の画面を切り替える必要があるため、９００秒（１５分）が必要になり、この賭式について全てのオッズを表示してしまうと、他の賭式が表示不可能になり、実質上、間引き表示を行うしかなくなる。
なお、コンピュータ４に賭式毎の全てのオッズを表示する時間値を入力してスクロール表示するようにもできる。例えば三連単オッズを全て表示する時間を５分等と設定する。この場合、画面表示処理部４６は、入力および設定された時間値（５分）から１行を送る時間を逆算により計算してスクロール速度を求め、表示をスクロールさせる。
【００２２】
続いて、画面表示処理部４６が、今回受信分のオッズ情報をスクロール表示させている間に、次のオッズ情報がオッズ受信処理部４１に受信された場合の動作について説明する。
バッファ管理テーブル４４のバッファ状況は、図４に示す状態を仮定する。つまり、バッファ管理テーブル４４のオッズ保存バッファ４２ａの蓄積状況フラグは、「蓄積済み」であり、オッズ保存バッファ４２ｂの蓄積状況フラグは、「空」である。また、バッファ管理テーブル４４のオッズ保存バッファ４２ａの出力状況フラグは、「オッズ出力」であり、オッズ保存バッファ４２ｂの出力状況フラグは、「出力停止」である。
このバッファ状況において、ＬＡＮ３を通じて最新のレース情報がコンピュータ４のオッズ受信処理部４１に受信されると、オッズ受信処理部４１は、受信したレース情報からレースの配当率を表すオッズ情報を抽出しオッズ蓄積制御部４３に送る。
オッズ蓄積制御部４３は、バッファ管理テーブル４４のバッファ状況（蓄積状況フラグと出力状況フラグ）を確認した結果、オッズ保存バッファ４２ｂが空いているためオッズ保存バッファ４２ｂに最新のオッズ情報を送り蓄積させる（書き込む）。
そして、最新のオッズ情報がオッズ保存バッファ４２ｂに蓄積されると、オッズ蓄積制御部４３は、バッファ管理テーブル４４の蓄積状況フラグを「空」から「蓄積済み」に変更する。
バッファ管理テーブル４４の蓄積状況フラグが変更されると、このバッファ管理テーブル４４を監視していた画面表示処理部４６は、この蓄積状況フラグが変更されたタイミング、つまりオッズ保存バッファ４２ｂに最新のオッズ情報がバッファリングされた時点で、図５に示すように、現在出力中のオッズ（旧オッズ情報）のうち、画面最下部に出現する前のオッズ行以降をオッズ保存バッファ４２ｂから読み出した最新オッズ情報に置き換えて出力する。これにより、大画面モニター５のオッズは、スクロール中の旧オッズ情報の連続性を保持するようにオッズ保存バッファ４２ｂから読み出された最新のオッズ情報に置き替わって出力されるようになる。なお、オッズが旧から新へ更新されたことを示すために、画面表示処理部４６は、置き替わった行のオッズについて、その表示色、文字種等の表示形態を変えて表示する。
これと同時に画面表示処理部４６は、バッファ管理テーブル４４のオッズ保存バッファ４２ｂの出力状況フラグを「出力停止」から「オッズ出力」に変更すると共に、オッズ保存バッファ４２ａの出力状況フラグを「オッズ出力」から「出力停止」に変更する。
【００２３】
このようにこの実施形態のオッズ表示システムによれば、複数のオッズ保存バッファ４２ａ，４２ｂのバッファ状況を管理するバッファ管理テーブル４４を備え、オッズ情報のバッファリングと出力とを制御すると共に、出力するオッズについては行単位でスクロール表示することで、組合せ数が少ないものから多いものまで、さまざまな賭式のオッズを大画面モニター５に表示することができる。
【００２４】
また、一方のオッズ保存バッファ４２ａよりオッズ情報を読み出してスクロール表示中に、他のオッズ保存バッファ４２ｂに最新のオッズ情報が蓄積されると、旧オッズ情報を流している途中（区切り良い行）からでも最新オッズを置き換えて表示するので、観客に、タイムリーに最新のオッズ情報を提供することができ、観客は最新のオッズを見て投票を行うことができる。
オッズをスクロール表示する速度を一定にすることで、観客も自身が見たいオッズがどのくらいで出てくるか感覚でつかめるので、待ちやすい。
また、オッズをスクロール表示する速度を賭式毎に変えることで、レースの合間の時間内に全オッズを表示するようにできる。また、組合せ数が少ない賭式については１行がずれるタイミングを長く止めておき、組合せ数が多い賭式については１行がずれるタイミングを早める等、観客へのオッズの見せ方をさまざまに変えることができる。
【００２５】
なお、本発明は上記実施形態のみに限定されるものではない。
上記実施形態では、１画面に個々の賭式のオッズを表示したが（図３参照）、例えば、三連単オッズと三連複オッズとは共通性があるため、例えば大画面モニター５に表示する画面を、例えば図６に示すように、７つのオッズを横に並べて７列表示させるようにすることで、左端の列に三連複オッズを表示して、その横に関連する三連単オッズを表示するといったこともできる。２つの賭式を１画面に表示してもよい。
【００２６】
上記実施形態のコンピュータ４における各部の機能は、フレキシブルディスクなどのコンピュータが読み出し可能な記憶媒体に記憶されたソフトウェアで実現しても良く、また、ソフトウェア（プログラム）単体としてＬＡＮやインターネットなどのネットワーク上を伝送されるものでもよい。この場合、記憶媒体に記憶されたソフトウェア（プログラム）をコンピュータが読み出したり、ＬＡＮやインターネット上のサイト（サーバ）からコンピュータがダウンロードしてハードディスクにインストールすることにより、本実施形態と同様の処理が可能になる。
ソフトウェア（プログラム）は、コンピュータと独立した記憶媒体に記憶されているものだけに限らず、ＬＡＮやインターネットなどの伝送媒体を介して流通されるものも含まれる。
【００２７】
なお、ソフトウェア（プログラム）は、メモリ、フレキシブルディスク、ハードディスク、光ディスク（ＣＤ−ＲＯＭ、ＣＤ−Ｒ、ＤＶＤなど）、光磁気ディスク（ＭＯなど）、半導体メモリなどの記憶媒体に、コンピュータが読み取り可能に記憶されているものであれば、その言語形式、記憶形式はいずれの形態であっても良い。
【００２８】
また、記憶媒体からコンピュータにインストールされたプログラムの指示に基づき、コンピュータ上で稼動しているＯＳ（オペレーティングシステム）や、データベース管理ソフト、ネットワークソフト等のＭＷ（ミドルウェア）が本実施形態を実現するための各処理の一部を実行したり、互いに協動しても良い。
さらに、記憶媒体は、コンピュータと独立した媒体に限らず、ＬＡＮやインターネットなどにより伝送されたプログラムをダウンロードして記憶または一時記憶した記憶媒体も含まれる。また、記憶媒体は一つに限らず、複数の媒体から本実施形態における処理が実行される場合も本発明における記録媒体に含まれ、媒体構成はいずれの構成であっても良い。
【００２９】
なお、コンピュータは、記憶媒体に記憶されたプログラムに基づき、本実施形態における各処理を実行するものであって、パソコンなどの一つからなる装置、複数の装置がネットワーク接続されたシステムなどのいずれの構成であっても良い。
また、コンピュータとは、パーソナルコンピュータ（パソコン）に限らず、通信機器、情報処理機器に含まれる演算処理装置、マイコンなども含み、プログラムによって本発明の機能を実現することが可能な機器、装置を総称している。
【００３０】
【発明の効果】
以上説明したように本発明によれば、今後、追加されるさまざまな賭式に対応してオッズ情報を提供できる。
【図面の簡単な説明】
【図１】本発明の一つの実施形態のオッズ表示システムの構成を示す図。
【図２】このオッズ表示システムにおいて、コンピュータに受信されるレース情報を示す図。
【図３】大画面モニターへのオッズの表示例を示す図。
【図４】コンピュータのバッファ管理テーブルを示す図。
【図５】大画面モニターにオッズをスクロール表示する際の模式図。
【図６】大画面モニターへのオッズの他の表示例を示す図。
【符号の説明】
１…上位システム、２…オッズ送信処理部、３…ＬＡＮ、４…コンピュータ、５…大画面モニター、４１…オッズ受信処理部、４２ａ，４２ｂ…オッズ保存バッファ、４３…オッズ蓄積制御部、４４…バッファ管理テーブル、４５…画面表示処理部。
【図１】
2005010999.tif 000003
【図２】
2005010999.tif 000004
【図３】
2005010999.tif 000005
【図４】
2005010999.tif 000006
【図５】
2005010999.tif 000007
【図６】
2005010999.tif 000008